(57)【要約】【課題】本発明は、けんどん式の引き違い窓であっても障子を持ち上げることができず、防犯性を向上させた窓構造を提供することを目的としている。【解決手段】上記課題を解決するために、本発明に係る窓構造の代表的な構成は、２以上の障子と、前記障子を平行にスライドさせて開閉させる窓枠とを有し、前記障子と窓上枠との嵌合高さが、前記障子と窓下枠との嵌合高さより高い引き違い窓の窓構造において、前記障子に移動不能に取り付けられ、かつ、前記障子の持ち上げ高さを、前記障子と窓下枠との嵌合高さよりも低く規制する外れ止め部材を有し、前記外れ止め部材はＬ字型または厚みのある部材であって、前記障子の室内面上部に取り付けられ、前記窓上枠に形成されたリブの先端に近接して配置することを特徴とする。【選択図】    図１
2004211360.tif 000002
【特許請求の範囲】
【請求項１】
２以上の障子と、前記障子を平行にスライドさせて開閉させる窓枠とを有し、前記障子と窓上枠との嵌合高さが、前記障子と窓下枠との嵌合高さより高い引き違い窓の窓構造において、
前記障子に移動不能に取り付けられ、かつ、前記障子の持ち上げ高さを、前記障子と窓下枠との嵌合高さよりも低く規制する外れ止め部材を有し、
前記外れ止め部材はＬ字型または厚みのある部材であって、前記障子の室内面上部に取り付けられ、前記窓上枠に形成されたリブの先端に近接して配置することを特徴とする窓構造。
【請求項２】
２以上の障子と、前記障子を平行にスライドさせて開閉させる窓枠とを有し、前記障子と窓上枠との嵌合高さが、前記障子と窓下枠との嵌合高さより高い引き違い窓の窓構造において、
前記障子に移動不能に取り付けられ、かつ、前記障子の持ち上げ高さを、前記障子と窓下枠との嵌合高さよりも低く規制する外れ止め部材を有し、
前記外れ止め部材は板状の部材であって、前記障子の室内面上部に取り付けられ、前記障子の上部から突出し、その先端を前記窓上枠の天面に近接して配置することを特徴とする窓構造。
【請求項３】
２以上の障子と、前記障子を平行にスライドさせて開閉させる窓枠とを有し、前記障子と窓上枠との嵌合高さが、前記障子と窓下枠との嵌合高さより高い引き違い窓の窓構造において、
前記窓上枠に移動不能に取り付けられ、かつ、前記障子の持ち上げ高さを、前記障子と窓下枠との嵌合高さよりも低く規制する外れ止め部材を有し、
前記外れ止め部材は、前記障子と窓上枠および窓下枠との嵌合高さの差より高い高さであって、
一の障子の上方に位置すると共に他の障子の上方に位置しないよう配置したことを特徴とする窓構造。
【請求項４】
室外側の障子の室内面または窓上下枠には、室内側の障子の移動を規制するストッパを設けたことを特徴とする請求項１乃至３のいずれか１項記載の窓構造。
【請求項５】
前記窓枠の上下間寸法は２０センチ以下であって、
前記ストッパによる前記障子の開口は、幅が２０センチ以下であることを特徴とする請求項４記載の窓構造。
【請求項６】
２以上の障子と、前記障子を平行にスライドさせて開閉させる窓枠とを有し、前記障子と窓上枠との嵌合高さが、前記障子と窓下枠との嵌合高さより高い引き違い窓の組立方法であって、
前記障子を窓枠に取り付けた後に、
前記障子の室内面上部に外れ止め部材を移動不能に取り付け、前記障子と窓上枠との嵌合高さを、前記障子と窓下枠との嵌合高さよりも低く規制することを特徴とする窓の組立方法。
【発明の詳細な説明】
【０００１】
【発明の属する技術分野】
本発明は、通風が通りやすい引き違い窓の窓構造に関し、屋外から障子を取り外すことを困難とし、防犯性の高い窓構造に関するものである。
【０００２】
【従来の技術】
２枚以上の扉を平行にスライドさせて開閉する、いわゆる引き違い窓は、日本では伝統的によく使われている。室内に置いても障子や襖などに用いられるが、開口部が大きく、通風が取りやすいとか、縁側などへの出入り口として使えるなどの利点があり、外部との窓や間口、雨戸などにも多く用いられている。ここで、ガラスや板などにより構成された扉も伝統的に障子と呼ばれているため、本出願においてもこれに習うこととする。
【０００３】
引き違い窓に障子を取り付けるための構造は、けんどん（倹飩）式といわれるものが一般的であり、障子と窓上枠との嵌合高さが、障子と窓下枠との嵌合高さより高くなっている。言い換えれば、窓枠の上枠に深い溝が掘ってあり、下枠にこれよりも浅い溝が掘ってある。そしてまず障子の上辺を上枠の溝に挿入した後に、障子の下辺を下枠の溝に落とし込むのである。これにより障子の上辺および下辺の両方が窓枠の溝によって支持されて、窓枠に沿って摺動可能となると共に、簡単に障子の着脱を行うことができる。なお近年のアルミサッシなどにおいては窓枠にリブ状のレールが形成され、障子の上辺や下辺に沿って溝が形成される構成がほとんどであるが、基本的な概念には変わりがない。
【０００４】
ところでこのようなけんどん式の引き違い窓においては、障子が上方向に向かって移動可能であることから、開閉の際に力加減によっては障子が傾いてしまう。そして障子が傾くと摺動抵抗が著しく増大し、開閉動作がつっかかってしまうので、取り回しがわるいという問題がある。これは特に障子が軽い、小さな窓や網戸などにおいて顕著である。このため図９（ａ）に示すように、障子２０の上辺端部に外れ止め部材８０を設けている場合が多い。この外れ止め部材８０は上下方向に摺動可能となっており、障子２０を窓枠１０に取り付けた後に、窓上枠のレール１１に近接させてからネジ８１によって固定する。これにより障子の片側が上方に上がって傾いてしまう状態を防止し、円滑な開閉動作を行うよう工夫されていた。
【０００５】
【特許文献１】
特開平１１−１０７６１２号公報
【０００６】
【発明が解決しようとする課題】
しかし、上記構成にあっては、防犯上万全ではなかった。すなわちクレセント１５などのカギを設けて障子２０、２１のスライドを防止した状態であっても、図９（ｂ）に示すように屋外から障子と窓下枠の間にドライバーなどの治具８２を差し込むと、外れ止め部材８０が摺動してしまって障子が持ち上がってしまう。すると障子２０、２１の下端が窓下枠のレール１２からはずれてしまうため、図９（ｃ）に示すようにその状態で障子２０、２１を前後に動かすことができ、ついには図９（ｄ）に示すように窓横枠のレール１３からはずれてしまう場合があった。また屋外側の障子２１に至っては、外れ止め部材８０のネジ８１が屋外に露出してしまうことから簡単に調整を解除することができ、防犯には役立たないという問題があった。
【０００７】
さらに、引き違い窓には、開放したままで防犯性を向上させる要請がある。例えばトイレ、浴室、洗面所の窓などは、換気や通風のために、常時開口状態が望まれる。また犬や猫などのペットを室内で飼っている家では、夏場のペットの留守番時に自然通風が望まれる。締め切ってしまうのは問題があり、かといって空調機をかけたままというのも人間と同様ペットの健康にわるく、またコストがかかるからである。しかし、窓を開口状態のままにして外出したり、トイレや浴室などの人目につきづらい場所の窓を開放したままにしておくのは、防犯上の問題があった。
【０００８】
そこで本発明は、けんどん式の引き違い窓であっても障子を持ち上げることができず、防犯性を向上させた窓構造を提供することを目的としている。
【０００９】
【課題を解決するための手段】
上記課題を解決するために、本発明に係る窓構造の代表的な構成は、２以上の障子と、前記障子を平行にスライドさせて開閉させる窓枠とを有し、前記障子と窓上枠との嵌合高さが、前記障子と窓下枠との嵌合高さより高い引き違い窓の窓構造において、前記障子に移動不能に取り付けられ、かつ、前記障子の持ち上げ高さを、前記障子と窓下枠との嵌合高さよりも低く規制する外れ止め部材を有し、前記外れ止め部材はＬ字型または厚みのある部材であって、前記障子の室内面上部に取り付けられ、前記窓上枠に形成されたリブの先端に近接して配置することを特徴とする。これによりけんどん式の引き違い窓であっても障子を持ち上げることができず、外部から障子を取り外すことが困難となる。外れ止め部材を障子に取り付けた場合であり、外れ止め部材が窓上枠のリブ状のレールや出っ張りに当接して、障子の持ち上がりを防止するもので、室内から取り付け位置、高さ規制を視認できる利点がある。
【００１０】
また、２以上の障子と、前記障子を平行にスライドさせて開閉させる窓枠とを有し、前記障子と窓上枠との嵌合高さが、前記障子と窓下枠との嵌合高さより高い引き違い窓の窓構造において、前記障子に移動不能に取り付けられ、かつ、前記障子の持ち上げ高さを、前記障子と窓下枠との嵌合高さよりも低く規制する外れ止め部材を有し、前記外れ止め部材は板状の部材であって、前記障子の室内面上部に取り付けられ、前記障子の上部から突出し、その先端を前記窓上枠の天面に近接して配置することを特徴とする。外れ止め部材を障子に取り付けた場合であり、板状の外れ止め部材が障子上部に突出し、窓上枠のレールなどのない溝部分の天面に当接し、障子の持ち上がりを防止することができる。
【００１１】
また、２以上の障子と、前記障子を平行にスライドさせて開閉させる窓枠とを有し、前記障子と窓上枠との嵌合高さが、前記障子と窓下枠との嵌合高さより高い引き違い窓の窓構造において、前記窓上枠に移動不能に取り付けられ、かつ、前記障子の持ち上げ高さを、前記障子と窓下枠との嵌合高さよりも低く規制する外れ止め部材を有し、前記外れ止め部材は、前記障子と窓上枠および窓下枠との嵌合高さの差より高い高さであって、一の障子の上方に位置すると共に他の障子の上方に位置しないよう配置したことを特徴とする。外れ止め部材の具体例であり、窓上枠のリブの内部に外れ止め部材を取り付けることにより、外観の向上を図ることができる。外れ止め部材の取り付けは障子を窓枠に取り付ける前でも後でもよい。
【００１２】
また、室外側の障子の室内面または窓上下枠には、室内側の障子の移動を規制するストッパを設けたことを特徴とする。これにより障子の開口の幅を制限することができる。
【００１３】
また、前記外れ止め部材は、前記ストッパよりも、前記室内側の障子と反対側に配置したことを特徴とする。これにより障子が外れ止め部材に当接し、これを損傷することを防止することができる。
【００１４】
また、前記外れ止め部材は、前記ストッパを兼ねることを特徴とする。これにより部品点数の削減を図ることができ、製造コストの低減化、および外観の向上を図ることができる。
【００１５】
また、前記窓枠の上下間寸法は２０センチ以下であって、前記ストッパによる前記障子の開口は、幅が２０センチ以下であることを特徴とする。これにより、開放状態としても、人間の通行を防止しつつ、通風およびペットの通行を許容することができる。
【００１６】
また前記２以上の障子は、少なくとも１つの障子がスライド可能であって、他の障子は窓枠に固定であり、前記スライド可能な障子に前記外れ止め部材を取り付けたことを特徴とする。すなわち障子が１枚であって、他の面がいわゆるはめ殺しの窓構造においても、本発明を適用することができる。
【００１７】
２以上の障子と、前記障子を平行にスライドさせて開閉させる窓枠とを有し、前記障子と窓上枠との嵌合高さが、前記障子と窓下枠との嵌合高さより高い引き違い窓の組立方法であって、前記窓上枠は２以上のリブを有し、前記障子を窓枠に取り付けた後に、前記上枠の隣接する２つのリブの間隔と略等しい幅と、前記障子と窓上枠および窓下枠との嵌合高さの差より高い高さを有する外れ止め部材を、前記窓上枠に、かつ前記障子の上方に、移動不能に取り付け、前記障子と窓上枠との嵌合高さを、前記障子と窓下枠との嵌合高さよりも低く規制することを特徴とする。これにより外れ止め部材を取り付けた後には、少なくとも室外側からは障子を取り外すことが極めて困難となり、かつ外観を向上させることができる。
【００１８】
【発明の実施の形態】
［第一実施形態］
本発明に係る窓構造および窓の組立方法の第一実施形態について、図を用いて説明する。図１は本実施形態に係る窓構造の断面図、図２は窓構造の室内側から見た正面図および平面図、図３〜図５は他の構成を説明する図である。
【００１９】
図１に示すように、本実施形態にかかる窓構造は、窓枠１０と、室内側の障子２０、屋外側の障子２１と、２枚の障子を有している。これら障子２０、２１の上部にはそれぞれ深溝２０ａ、２１ａを有しており、窓上枠のレール１１に沿って摺動可能となっている。また障子２０、２１はそれぞれ下部に複数のプーリー２０ｂ、２１ｂを有し、窓下枠のレール１２上を走行可能となっている。さらに、屋外側の障子２１の外側には、網戸２２が同様に窓枠に沿って移動可能に取り付けられている。従ってこれら２枚の障子を平行にスライドさせることにより窓を開口させることができ、いわゆる引き違い窓となっている。図においてｈ１は、窓枠の開口部の上下間寸法を示している。
【００２０】
障子２０、２１を取り付ける際には、上部に設けた深溝２０ａ、２１ａに窓上枠のレール１１を挿入した状態で障子２０、２１を窓上枠の天面１０ａ近くまで深く差し込み、下部のプーリー２０ｂ、２１ｂを窓下枠のレール１２上に載置する。いわゆるけんどん式の取付構造である。このとき、障子と窓上枠との嵌合高さｈ２（深溝２０ａ、２１ａに対する窓上枠のレール１１の挿入深さ）は、障子と窓下枠との嵌合高さｈ３（障子２０、２１の下端からプーリー２０ｂ、２１ｂの下面までの高さ）よりも高くなっている。なお図において障子２０、２１の下端はプーリー２０ｂ、２１ｂの室内側と屋外側で異なっているが、取り付けの際に窓下枠のレール１２を乗り越える必要がある室内側を基準として嵌合高さｈ３を図示している。本実施形態においては室内側の障子２０が屋外側の障子２１よりも高さが小さくなっているため、屋外から室内側の障子２０、屋外側の障子２１、網戸２２の順に取り付けられる。
【００２１】
図２（ａ）に示すように、室内側の障子２０の端部にはカギであるクレセント１５が設けられており、屋外側の障子２１の対応する端部には不図示のクレセント受けが設けられている。障子２０、２１を閉じた状態でこのクレセント１５を施錠することにより、障子２０、２１の横方向の移動を規制することができる。
【００２２】
また屋外側の障子２１の室内面には、室内側の障子２０の移動を相対的に規制するストッパ１６を設けている。ストッパ１６は、図１および図２（ｂ）に示すように、室内側の障子２０の移動領域内まで突出した部材であって、室内側の障子２０はこれに衝突して移動が規制される。ストッパ１６は障子２０が一般的な力でぶつかっても破壊しない強度と、ぶつかった時に障子２０の枠を壊さない弾力性を持たせており、樹脂や、樹脂と金属の併用により構成する。すなわち、障子２０、２１を閉じた状態における室内側の障子２０とストッパ１６との距離Ｗは、図２（ｃ）に示すように窓の最大開口幅Ｗとなる。従って窓が大きく開くようにしたい場合には、ストッパ１６は屋外側の障子２１の外側端部に近づけることとなる。
【００２３】
ここで本実施形態においては、上記した開口部の上下間寸法ｈ１を２０センチ以下、ストッパ１６による最大開口幅Ｗを２０センチ以下としている。これにより、開放状態としても、人間の通行を防止しつつ、通風およびペットの通行を許容することができる。
【００２４】
障子２０、２１には、窓枠１０に取り付けた後に、それぞれ外れ止め部材であるブラケット１７ａ、１７ｂを取り付けている。ブラケット１７ａ、１７ｂは本実施形態においてはＬ字型の金属であって、図１に示すように障子２０、２１の室内面上部に取り付けている。屋内側の障子２０に取り付けたブラケット１７ａは、窓枠１０の室内側に設けられたリブ状の窓枠出っ張り１０ｂに近接して配置する。また屋外側の障子２１に取り付けたブラケット１７ｂは、リブ状の窓上枠のレール１１に近接して配置する。このとき、図１に示すように、ブラケット１７ａ、１７ｂによって規制された障子の持ち上げ高さｈ４は、障子と窓下枠との嵌合高さｈ３よりも低く設定している。
【００２５】
また図２（ａ）、（ｂ）に示すように、ブラケット１７ａは屋内側の障子２０の略中央に配置しており、ブラケット１７ｂはストッパ１６よりも障子２０と反対側に配置している。これは、障子２０がブラケット１７ｂに当接し、これを損傷することを防止するためである。すなわちストッパ１６は、窓の最大開口幅Ｗを規定すると共に、ブラケット１７ｂの損傷防止の役割も担っている。
【００２６】
このようにブラケット１７ａ、１７ｂを設けたことにより、けんどん式の引き違い窓であっても、ドライバーやバールなどの治具を用いても障子を持ち上げることができなくなり、外部から障子を取り外すことが困難となるため、防犯性を向上させた窓構造とすることができる。また開口状態にあっても障子の取り外しを防止できることから、開口部の上下間寸法および幅を制限したこととあいまって、常時開口状態としたり、開口状態のまま外出することも可能となる。
【００２７】
また、ブラケット１７ａ、１７ｂは室内側に取り付けることから、室内側からは簡単に取り外すことができ、障子２０、２１を再度取り外すことも簡単である。ただし、ブラケット１７ａ、１７ｂを室外側から取り外すことは難しいと考えられるが、取り付け位置によっては室外から手を入れて取り外される場合も考えられる。このような場合には、ブラケット１７ａ、１７ｂの取り付けにトルクスねじや六角孔ボルトなどの一般的でないものを用いたり、取り付け後にネジ山をつぶしたりしておくことが望ましい。
【００２８】
また、防犯のためのみならず、通常使用時においても、外れ止めの機能が従来のものよりも補強されることとなる。従って開閉時の操作性を向上し、また不用意に障子が外れて落下することを防止するため、特に地震時などには有効である。、
【００２９】
なお、本実施形態においてブラケット１７ａ、１７ｂはＬ字型の金属としているが、窓上枠のリブに当接するよう障子から突出するものであればよく、例えばブロック状の部材であってもよい。
【００３０】
また障子２０、２１のそれぞれにブラケット１７ａ、１７ｂを取り付けるよう説明したが、図３に示すように、窓枠１０の全体の幅が短い場合には屋内側の障子２０のクレセント１５近傍の上部に一つのみ設けることでもよい。この場合、屋外側の障子２１は単体では持ち上げられるため取り外すことが可能であるが、クレセント１５をかけた状態においては障子２０、２１の双方とも持ち上げることができなくなる。すなわち、カギをかけた状態における防犯性を向上させることができる。なお窓枠１０の全体の幅がある程度長い場合は、ブラケット１７ａ一つのみでは屋外側の障子２１のクレセント１５と反対側が持ち上がって取り外せてしまうので、上記実施形態の如くそれぞれにブラケット１７ａ、１７ｂが必要となる。
【００３１】
またストッパ１６とブラケット１７ｂとを別体として説明したが、一つの部材によって双方の機能を持たせることも可能である。その場合の取り付け位置は、横方向はストッパ１６の位置に倣い、縦方向はブラケット１７ｂの位置に倣うことになる。また部材の構造も、横方向はストッパと同様に強度と弾力性を要し、縦方向はブラケット１７ｂと同様に窓上枠のリブに当接して移動を規制しうる強度が必要となる。
【００３２】
またストッパ１６を屋外側の障子２１に取り付けるよう説明したが、図４に示すように、窓枠１０の窓上枠または窓下枠にストッパ１８を取り付けることも可能である。図は窓下枠のレール１２にストッパ１８を固定した例を示しており、その取り付けは窓枠１０に障子２０、２１を取り付ける前、後のいずれでもよい。
【００３３】
また上記実施形態においては障子が２枚の場合について説明したが、図５に示すように、３枚の障子によって構成される窓構造においても本発明を適用することができる。さらに、２枚または３枚の障子のうち少なくとも１枚がスライド可能であって、固定されてはめ殺しの障子がある場合には、移動可能な障子にブラケット（外れ止め部材）を設ければよい。
【００３４】
［第二実施形態］
本発明に係る窓構造および窓の組立方法の第二実施形態について、図を用いて説明する。図６は本実施形態に係る窓構造の断面図であって、上記第一実施形態と説明の重複する部分については同一の符号を付して説明を省略する。
【００３５】
上記第一実施形態において外れ止め部材であるブラケット１７ａ、１７ｂはＬ字型の部材であって、窓上枠のリブに当接するよう説明した。これに対し本実施形態においては、外れ止め部材として板状のブラケット１９を用いている。
【００３６】
図６に示すように、本実施形態に係るブラケット１９ａ、１９ｂは、障子２０、２１の室内面上部に取り付けている。それぞれのブラケット１９ａ、１９ｂは障子２０、２１の上部から突出し、その先端を窓上枠の天面１０ａに近接して配置している。なお、横方向の取り付け位置については上記第一実施形態と同様である（図２（ａ）参照）。
【００３７】
上記の如く構成することにより、ブラケット１９ａ、１９ｂが屋内側に突出しないため、外観が向上する。また屋外側の障子２１に取り付けたブラケット１９ｂと屋内側の障子２０が当接することがないため、ブラケット１９ｂとストッパ１６との位置関係を考慮する必要がなく、取り付け作業が容易となる。従って、ブラケット１９ｂは屋外側の障子２１の上部略中央に取り付けることも可能である。
【００３８】
［第三実施形態］
本発明に係る窓構造および窓の組立方法の第三実施形態について、図を用いて説明する。図７は本実施形態に係る窓構造の断面図、図８は窓構造の平面図およびブラケットの斜視図であって、上記第一実施形態と説明の重複する部分については同一の符号を付して説明を省略する。
【００３９】
上記第一、第二実施形態においては、外れ止め部材であるブラケット１７、１９を障子２０、２１に取り付ける構成について説明した。これに対し本実施形態においては、窓枠１０の窓上枠にブラケット３０を取り付けるものである。なお、屋内側の障子２０用と屋外側の障子２１用の窓上枠のレール１１は上記実施形態においては区別していなかったが、本実施形態においては説明の便宜上１１ａ、１１ｂとして区別する。
【００４０】
図７に示すように、本実施形態に係るブラケット３０は、窓上枠に設けられた２つのリブ状の窓上枠のレール１１ａ、１１ｂの室内側にそれぞれ沿うように、窓上枠の天面１０ａに取り付けられる。また図８（ａ）に示すように、左右方向の位置は、障子２０、２１を閉じた状態におけるそれぞれの障子の略中央の位置に取り付ける。
【００４１】
図８（ｂ）に示すようにブラケット３０は略コの字型の金属製の部材であって、上部に取り付けのためのネジ穴３０ａを有し、下部にレール１１ａ、１１ｂに沿う位置に下面３０ｂを有している。従って図８（ａ）に示すように、ブラケット３０を窓上枠に取り付けた際には下面３０ｂが障子２０、２１の上方に位置することとなる。
【００４２】
ここで図７に示すように、障子２０、２１が窓下枠のレール１２上に乗った状態で、障子２０、２１の上端から窓枠１０の天面１０ａまでの高さｈ５と、ブラケット３０の高さｈ６との差が、規制された障子の持ち上げ高さｈ４となる。従ってブラケット３０の高さｈ６は、持ち上げ高さｈ４が、障子と窓下枠との嵌合高さｈ３よりも低くなるように設定する。このように構成することにより、障子２０、２１の持ち上がりを防止することができる。また、外れ止め部材が窓上枠の内部に隠れることとなるため、外観の向上を図ることができる。
【００４３】
また、ブラケット３０の幅は、外側のレール１１ｂの側面から、屋内側の障子２０までの距離より短くなっている。すなわち、屋外側の障子２１のための外れ止め部材であるブラケット３０は、屋内側の障子２０の上方には位置しないよう配置されることとなり、その持ち上げを阻害しない構成となっている。このように構成することにより、図８（ｃ）に示すように、ブラケット３０を取り付けた状態で障子２０、２１を窓枠１０に着脱することが可能となる。従って、あらかじめ窓枠１０にブラケット３０を取り付けておくことができるため、建築現場における作業工程を軽減することができる。
【００４４】
なおブラケット３０は略コの字型の金属に限らず、ブロック状の部材であっても同様の作用を持たせることができる。また窓枠１０の全体の幅が短い場合には、クレセント１５近傍の上部に一つのみブラケット３０を設けることでもよい。
【００４５】
なお、本実施形態の構成にあっては、基本的には窓を閉じてクレセント１５をかけた状態において持ち上がりを防止するものである。クレセント１５を外した状態では、取り付けるときの逆の手順により、障子をブラケット３０のない位置に移動させて取り外すことが可能なためである。
【００４６】
ただし、ストッパ１６の位置を調整することにより、障子をブラケット３０のない位置まで移動することをできなくすれば、クレセント１５を外した状態でも障子を取り外すことを防止することができる。すなわちストッパ１６によって規制される障子の可動範囲のいずれの位置においても、なおブラケット３０が障子の上方に位置するように、ストッパ１６およびブラケット３０を配置する。
【００４７】
この場合、障子にストッパ１６を取り付け、窓枠１０にブラケット３０を取り付けた状態では、障子の窓枠への着脱が不可能になる。従って障子の窓枠への取り付けは、ストッパ１６またはブラケット３０の少なくとも一方を取り付けない状態において行い、障子を取り付けた後にストッパ１６またはブラケット３０を取り付ける。このように構成することにより、開口状態にあっても障子の取り外しを防止できることから、開口部の上下間寸法および幅を制限したこととあいまって、常時開口状態としたり、開口状態のまま外出することも可能となる。
【００４８】
【発明の効果】
上記説明した如く、本発明に係る窓構造及び窓の組立方法においては、けんどん式の引き違い窓であっても、ドライバーやバールなどの治具を用いても障子を持ち上げることができなくなり、外部から障子を取り外すことが困難となるため、防犯性を向上させることができる。また開口状態にあっても障子の取り外しを防止できることから、開口部の上下間寸法および幅を制限したこととあいまって、例えばトイレ、浴室、洗面所の窓などを常時開口状態としたり、開口状態のまま外出することも可能となる。
【００４９】
また、防犯のためのみならず、通常使用時においても、外れ止めの機能が従来のものよりも補強されることとなる。従って開閉時の操作性を向上し、また不用意に障子が外れて落下することを防止するため、特に地震時などには有効である。
【図面の簡単な説明】
【図１】第一実施形態に係る窓構造の断面図である。
【図２】窓構造の室内側から見た正面図および平面図である。
【図３】窓構造の他の構成を説明する図である。
【図４】窓構造の他の構成を説明する図である。
【図５】窓構造の他の構成を説明する図である。
【図６】第二実施形態に係る窓構造の断面図である。
【図７】第三実施形態に係る窓構造の断面図である。
【図８】窓構造の平面図およびブラケットの斜視図である。
【図９】従来の窓構造を説明する図である。
【符号の説明】
１０        …窓枠
１０ａ    …天面
１０ｂ    …窓枠出っ張り
１１        …窓上枠のレール
１２        …窓下枠のレール
１３        …窓横枠のレール
１５        …クレセント
１６        …ストッパ
１７ａ    …ブラケット
１７ｂ    …ブラケット
１８        …ストッパ
１９ａ    …ブラケット
１９ｂ    …ブラケット
２０        …屋内側の障子
２０ａ    …深溝
２０ｂ    …プーリー
２１        …屋外側の障子
２１ａ    …深溝
２１ｂ    …プーリー
２２        …網戸
３０        …ブラケット
３０ａ    …ネジ穴
３０ｂ    …下面
８０        …外れ止め部材
８１        …ネジ
８２        …治具
【図１】
2004211360.tif 000003
【図２】
2004211360.tif 000004
【図３】
2004211360.tif 000005
【図４】
2004211360.tif 000006
【図５】
2004211360.tif 000007
【図６】
2004211360.tif 000008
【図７】
2004211360.tif 000009
【図８】
2004211360.tif 000010
【図９】
2004211360.tif 000011